(57)【要約】【課題】本発明は偏光性を有する半導体発光素子に関する。【解決手段】半導体発光素子４０は、第１導電型半導体層４４、活性層４６及び第２導電型半導体層４８が積層された半導体構造物を含む半導体発光素子において、上記半導体構造物は上記第２導電型半導体層から少なくとも活性層に至るまでの深さを有するように一定方向に沿って配列された複数の溝領域により形成された複数の光ガイド部Ｇを含み、上記複数の光ガイド部は長さ方向に該当する偏光成分が選択的に放出されるようにその幅より大きい長さを有する。【選択図】        図４
2008016836.tif 000002
【特許請求の範囲】
【請求項１】
第１導電型半導体層、活性層及び第２導電型半導体層が積層された半導体構造物を含む半導体発光素子において、
前記半導体構造物は、前記第２導電型半導体層から少なくとも活性層に至るまでの深さを有するように一定方向に沿って配列された複数の溝領域により形成された複数の光ガイド部を含み、
前記複数の光ガイド部は長さ方向に該当する偏光性分が選択的に放出されるようにその幅より大きい長さを有することを特徴とする半導体発光素子。
【請求項２】
前記複数の光ガイド部は、各々その幅より少なくとも３倍大きい長さを有するように形成されたことを特徴とする請求項１に記載の半導体発光素子。
【請求項３】
前記複数の光ガイド部は、一定周期を有するように形成されたことを特徴とする請求項１に記載の半導体発光素子。
【請求項４】
前記溝領域は、前記半導体構造物の屈折率より低い屈折率を有する物質で充填されたことを特徴とする請求項１に記載の半導体発光素子。
【請求項５】
前記第１導電型半導体層、前記活性層及び前記第２導電型半導体層が順次に積層された絶縁性基板をさらに含み、
前記半導体構造物は、前記第１導電型半導体層の一領域が露出されるようにメサエッチングされた構造を有し、前記第１導電型半導体層の前記露出された一領域と前記第２導電型半導体層の一領域に各々形成された第１及び第２電極をさらに含むことを特徴とする請求項１に記載の半導体発光素子。
【請求項６】
前記複数の溝領域は、各々前記第２電極の隣接した位置から前記第１電極に向かって延長され形成されたことを特徴とする請求項５に記載の半導体発光素子。
【請求項７】
前記第２導電型半導体層、前記活性層及び前記第１導電型半導体層が順次に積層された導電性基板と、前記第１導電型基板の上面の一領域と前記導電性基板の下面に各々形成された第１及び第２電極をさらに含むことを特徴とする請求項１に記載の半導体発光素子。
【請求項８】
前記複数の溝領域は、各々前記半導体構造物の一側面から対向する他の側面まで開放されるように延長され形成されたことを特徴とする請求項７に記載の半導体発光素子。
【請求項９】
前記複数の溝領域は、２個以上の列方向に配列されたことを特徴とする請求項１に記載の半導体発光素子。 
【請求項１０】
前記複数の光ガイド部は、前記第２導電型半導体層により相互連結されるように形成されたことを特徴とする請求項９に記載の半導体発光素子。
【請求項１１】
前記半導体構造物は、前記活性層を介して前記活性層から発生する光の半波長の整数倍に該当する間隔で形成された第１及び第２反射層構造からなり、
前記第２反射層構造は光放出方向に位置し、前記第２反射層構造は前記第１反射層構造より前記活性層から発生する光の波長に対して低い反射率を有することを特徴とする請求項１に記載の半導体発光素子。
【請求項１２】
前記第１反射層構造は、前記活性層から発生する光の波長に対して８０％以上の反射率を有し、前記第２反射層構造は前記活性層から発生する光の波長に対して２０〜６０％の反射率を有することを特徴とする請求項１１に記載の半導体発光素子。
【請求項１３】
前記第１導電型半導体層、前記活性層及び前記第２導電型半導体層が順次に積層された絶縁性基板をさらに含み、
前記第２反射層構造は前記第２導電型半導体層の上面に位置し、前記第１反射層は前記第１導電型半導体層の内部に位置することを特徴とする請求項１１に記載の半導体発光素子。
【請求項１４】
前記第２導電型半導体層、前記活性層及び前記第１導電型半導体層が順次に積層された導電性基板をさらに含み、
前記第１反射層構造は前記第１導電型半導体層の内部に位置し、前記第２反射層構造は前記導電性基板であるか前記導電性基板と前記第１導電型半導体層との間に位置した金属反射層であることを特徴とする請求項１１に記載の半導体発光素子。
【請求項１５】
前記第１反射層構造は、相異する屈折率を有する半導体層が複数で交互に積層されて成るＤＢＲ構造であることを特徴とする請求項１２または請求項１３に記載の半導体発光素子。
【発明の詳細な説明】
【技術分野】
【０００１】
本発明は、偏光性を有する半導体発光素子に関するものであって、フォトニック結晶構造と類似な原理を適用した光ガイド構造を採用することにより、特定偏光性分の放出効果を相対的に向上させた半導体発光素子に関する。
【背景技術】
【０００２】
最近、ＬＣＤとＰＤＰを中心とする平面ディスプレイ技術分野は急速に発展している。ディスプレイが大型化されるにつれ光源部分と光学材料がコストで占める割合が非常に高いだけでなく、光源の消耗電力の側面において多くの問題点が浮き彫りになっている。
【０００３】
特に、液晶ディスプレイ（ＬＣＤ）の場合、均一な光の拡散のため多数の光学シートを使用すべきであるため、バックライトユニット（ＢＬＵ）の光効率が低下し、コストが上昇する問題がある。このような問題を補完する方法として、ＬＥＤを光源として用いて色再現性とＬＣＤの反応速度を補完できる方法が数多く研究されている。
【０００４】
図１は、ＬＥＤ光源を採用する通常のバックライト装置を示した分解図である。
【０００５】
図１に図示されたバックライト装置は、ＬＥＤ光源２、導光板４、拡散シート５、垂直及び水平プリズムシート６ａ，６ｂからなるプリズムシート部６及び偏光板７を含む。
【０００６】
このようなバックライト装置に一般に使用されるＬＥＤ光源２は、図２（ａ）及び図２（ｂ）に図示された通り、基板１１，２１上に順次に形成された第１導電型半導体層１４，２４、活性層１６，２６及び第２導電型半導体層１８，２８からなる発光構造物と、上記第１及び第２導電型半導体層と電気的に連結された第１及び第２電極１９ａ，１９ｂ，２９ａ，２９ｂとを含む。
【０００７】
上記ＬＥＤ光源２から発生した光は、上記導光板４を通じて拡散シート５に向かい、上記拡散シート５により拡散された光を垂直及び水平プリズムシート６ａ，６ｂ及び偏光板７を通じて液晶表示パネル（未図示）に向かうことになる。
【０００８】
ここで、上記拡散シート５は全体面積に均一な輝度を提供する役割をし、上記プリズムシート部６は特定視野角の範囲で輝度を向上させる機能をする。また、上記偏光板７は特定偏光性分を選択的に透過させる役割をする。このように、バックライト装置は、ＬＥＤのような点光源を画面全体で明るくて均一な面光源に転換するため、様々な光学シートが求められる。
【０００９】
特定光学シートを光源のような従来の手段に代替することは、バックライト装置のコスト低減及び工程改善のためだけでなく、光効率の改善の側面で好ましい。特に、特定偏光性分のみ選択的に放出できる光源を具現することが可能であれば、偏光板を使用しなくてもよいので、それによる費用低減だけでなく偏光性分の選択による光損失問題を改善することができる。このような点から偏光性を有する光源は、バックライト光源として非常に有益に使用されることができる。
【００１０】
ところが、一般的にＬＥＤ光源２は、全方向の偏光性分が存在するため、所望の偏光性分のための偏光板が使用されるべきで、それによるコストの増加と光効率の低下という問題は避けられない。
【発明の開示】
【発明が解決しようとする課題】
【００１１】
上述の従来の技術問題を解決すべく、本発明の一目的は、特定方向の偏光性分を選択的に放出できる偏光性を有し、さらに偏光性の拡大による有効の光効率を補完するために共振構造を採用することにより、指向性を向上させたＬＥＤ光源を提供することにある。
【課題を解決するための手段】
【００１２】
本発明は、上記の技術的課題を実現すべく、第１導電型半導体層、活性層及び第２導電型半導体層が積層された半導体構造物を含む半導体発光素子において、上記半導体構造物は上記第２導電型半導体層から少なくとも活性層に至るまでの深さを有するように一定方向に沿って配列された複数の溝領域により形成された複数の光ガイド部を含み、上記複数の光ガイド部はその長さ方向に該当する偏光性分が選択的に放出されるようにその幅より大きい長さを有することを特徴とする半導体発光素子を提供する。
【００１３】
好ましくは、上記複数の光ガイド部は、選択された偏光性分をより優勢に放出させるため、各々その幅より少なくとも３倍大きい長さを有するように形成されることができる。
【００１４】
溝領域の具現のためのエッチング工程（例えば、レーザービーム回折法）を考慮して、上記複数の光ガイド部は一定周期を有するように形成されることができる。
【００１５】
本発明の光ガイド部と溝領域は、各々第１及び第２媒質としてフォトニック結晶構造のように作動することができる。このような構造において、上記複数の溝領域に上記半導体構造物の屈折率より低い屈折率を有する適切な物質を充填することにより、所望のフォトニック結晶のような動作が期待できる。
【００１６】
本発明の具体的な実施形態では、水平構造または垂直構造の発光素子の何れも適用されることができる。
【００１７】
本発明の一実施形態は、上記第１導電型半導体層、上記活性層及び上記第２導電型半導体層が順次に積層された絶縁性基板をさらに含み、上記半導体構造物は上記第１導電型半導体層の一領域が露出されるようにメサエッチングされた構造を有し、上記第１導電型半導体層の上記露出された一領域と上記第２導電型半導体層の一領域に各々形成された第１及び第２電極とをさらに含む水平構造の発光素子であることができる。
【００１８】
この場合に、上記複数の溝領域は各々上記第２電極の隣接した位置から上記第１電極に向かって延長され形成されることが好ましい。
【００１９】
本発明の他の実施形態は、上記第２導電型半導体層、上記活性層及び上記第１導電型半導体層が順次に積層された導電性基板と、上記第１導電型基板の上面の一領域と上記導電性基板の下面に各々形成された第１及び第２電極を更に含むことができる。
【００２０】
この場合に、上記複数の溝領域は、各々上記半導体構造物の一側面から対向する他側面まで開放されるように延長され形成することができる。
【００２１】
本発明に採用可能な光ガイド部の配列は２次元的に具現されることができる。これは、上記複数の溝領域を２つ以上の列方向に配列されるように形成することによって具現されることができる。この場合に、第２導電型半導体層の領域に一つの電極を通じて全体活性領域から発光させるため、上記複数の光ガイド部は上記第２導電型半導体層により相互連結されるように形成されることが好ましい。
【００２２】
本発明は、好ましく、光指向性を改善するための共振構造をさらに採用することができる。
【００２３】
本発明の好ましい実施形態において、上記半導体構造物は、上記活性層を介して上記活性層から発生する光の半波長の整数倍に該当する間隔で形成された第１及び第２反射層構造からなり、上記第２反射層構造は光放出方向に位置し、上記第２反射層構造は上記第１反射層構造より上記活性層から発生する光の波長に対して低い反射率を有する。
【００２４】
好ましくは、上記第１反射層構造は、上記活性層から発生する光の波長に対して８０％以上の反射率を有し、上記第２反射層構造は上記活性層から発生する光の波長に対して２０〜６０％の反射率を有する。
【００２５】
本実施形態は、ＬＥＤの構造に応じて相異する共振構造を採用することができる。
【００２６】
上記第１導電型半導体層、上記活性層及び上記第２導電型半導体層が順次に積層された絶縁性基板をさらに含む水平構造ＬＥＤの場合に、上記第２反射層構造は上記第２導電型半導体層の上面に位置し、上記第１反射層は上記第１導電型半導体層の内部に位置することができる。
【００２７】
また、上記第２導電型半導体層、上記活性層及び上記第１導電型半導体層が順次に積層された導電性基板をさらに含む垂直構造ＬＥＤの場合には、上記第１反射層構造は上記第１導電型半導体層の内部に位置し、上記第２反射層構造は上記導電性基板であるか上記導電性基板と上記第１導電型半導体層との間に位置した金属反射層であることができる。
【００２８】
このような実施形態において、第１導電型半導体層の内部に位置する第１反射層構造は相異する屈折率を有する半導体層が複数で交互に積層されて成るＤＢＲ構造であることができる。
【発明の効果】
【００２９】
本発明によると、半導体発光素子自体で特定偏光性分を提供することができるため、バックライト装置で偏光板を省略することができ、さらに共振構造を採用して光指向性を向上させるので、偏光効果をさらに向上させることができる。
【発明を実施するための最良の形態】
【００３０】
以下、添付の図面を参照に、本発明の実施形態をより詳しく説明する。
【００３１】
図３は、本発明による光ガイド構造を説明するための半導体発光素子構造の斜視図である。ここで、光ガイド構造の発光構造物に係わりより容易に説明するため電極構造の図示は省略した。
【００３２】
図３を参照すると、基板３１上に第１導電型半導体層３４、活性層３６及び第２導電型半導体層３８が順次に形成された半導体発光構造３０が図示されている。
【００３３】
上記第２導電型半導体層３８から少なくとも活性層３６に至るまでの深さｄを有するように複数の溝領域Ｈが一定方向に沿って並んで形成される。上記溝領域Ｈの深さｄは活性層３６を分離できる程度の深さであればよい。このような複数の溝領域Ｈにより、上記半導体発光構造物３０は幅ｂより大きい長さａを有する複数の光ガイド部Ｇを備えることができる。好ましく、所望の偏光性分の光が他の偏光性分より優勢に放出されるように光ガイド部Ｇの長さａは幅ｂより３倍以上になるように設定することが好ましい。
【００３４】
このような複数の光ガイド部Ｇと溝領域Ｈは、各々半導体結晶の屈折率と空気の屈折率を有するため、相異する屈折率を有する媒質として理解できる。従って、このような複数の光ガイド部Ｇと溝領域Ｈが交差して配列された領域はフォトニック結晶構造と類似に作動して特定偏光性分のみ選択的に放出させることができる。
【００３５】
従って、図３に図示された発光構造物では、活性層３６から生成された光は全方向の偏光性分を有しても、光ガイド部Ｇと溝領域Ｈが交差して配列された幅方向に該当する偏光性分（例えば、ＴＭ）は抑制され、光ガイド部Ｇの長さ方向に該当する偏光性分（例えば、ＴＥ）のみ選択的に放出されることができる。勿論、上記溝領域Ｈが形成される方向、即ち光ガイド部Ｇの長さ方向をどう決定するのかによって他の偏光性分を得ることができる。
【００３６】
このような光ガイド部Ｇと溝領域Ｈとからなる繰返しパターンは、レーザービーム回折法または電子ビームリソグラフィのようなエッチング工程で形成されることができる。また、このようなエッチング工程は、下記の式を満たす周期ｐを有するように具現することができる。
【００３７】
【数１】
2008016836.tif 000003
【００３８】
ここで、ｍは自然数で、λとnｅqは各々活性層から生成される光の波長と半導体層の有効屈折率を意味する。また、溝領域Ｈには異なる屈折率を有する絶縁性物質で埋められることができ、フォトニック結晶構造の特性を変えることができる。
【００３９】
本発明は、フリップチップ形態の水平構造発光素子のみならず、垂直構造発光素子にも有益に適用することができる。
【００４０】
図４及び図５は、各々本発明の具体的な実施形態による水平構造及び垂直構造発光素子を示す。
【００４１】
先ず、図４に図示された通り、半導体発光素子４０は、基板４１上に順次に形成された第１導電型半導体層４４、活性層４６及び第２導電型半導体層４８を含み、上記第１及び第２導電型半導体層４４，４８に各々接続された第１及び第２電極４９ａ，４９ｂを備える。
【００４２】
本実施形態において、上記基板４１はサファイア基板のような絶縁性基板であるため、上記半導体構造物は上記第１導電型半導体層４４の一領域が露出されるようにメサエッチングされた構造を有する。このような構造において、上記第１及び第２電極４９ａ，４９ｂは、上記第１導電型半導体層４４の上記露出された一領域と上記第２導電型半導体層４８の一領域に各々形成される。
【００４３】
また、複数の溝領域Ｈにより上記半導体発光構造物は幅ｂより大きい長さａを有する複数の光ガイド部Ｇを備える。好ましくは、図３に図示された構造において、第１及び第２電極４９ａ，４９ｂの間の活性層４６が断絶されないように複数の溝領域Ｈは、上記第２電極４９ｂの隣接した位置から上記第１電極４９ａに向かって延長され形成される。先に説明した通り、複数の光ガイド部Ｇと溝領域Ｈが交差して配列された領域は、特定偏光性分が優勢に放出されるフォトニック結晶構造として作用することができる。
【００４４】
図５は、本発明の他の実施形態による半導体発光素子の斜視図である。
【００４５】
図５を参照すると、基板５１上に順次に形成された第２導電型半導体層５８、活性層５６及び第１導電型半導体層５４を含む半導体発光素子５０が図示されている。
【００４６】
本実施形態において、上記基板５１は導電性基板であることができ、第１及び第２電極５９ａ，５９ｂは上記第１導電型半導体層５４の上面の一領域と上記導電性基板５１の下面に各々形成され、上記第１及び第２導電型半導体５４,５８に各々電気的に接続されることができる。このような垂直構造発光素子５０は、所定の母基板上に第１導電型半導体層５４、活性層５６及び第２導電型半導体層５８を順次に積層した後、積層された半導体結晶を分離させた後に、導電性基板５１に接合させたものと理解できる。図５に図示された通り、接合過程において第２導電型半導体層５８と導電性基板５１との間に光抽出効率を改善するための金属反射層５２をさらに提供することができる。
【００４７】
このような工程において、複数の溝領域Ｈは母基板（未図示）上に半導体発光構造を形成した後に、導電性基板５１に接合する前に形成されることができる。このように、溝領域Ｈを電極が形成されていない面に提供することにより、溝領域Ｈ及び光ガイド部Ｇの具現領域が図４の構造のように電極位置に制限されず、相対的に十分広い領域に亘って形成されることができる。従って、上記複数の溝領域Ｈは、各々上記半導体構造物の一側面から対向する他側面まで開放されるように延長され形成されることができ、かかるより長い光ガイド部Ｇの形成が可能であるため、偏光性をより高めることができる。
【００４８】
上述の実施形態では、一方向に沿って並んで配列された１次元的なフォトニック結晶構造を例示したが、複数の溝領域を２つ以上の列を有するように配列することによって２次元的な構造で具現されることもできる。
【００４９】
図６は、本発明の半導体発光素子に採用可能な２次元周期のフォトニック結晶構造を示した平面図である。ここで図示された構造は、図４及び図５において半導体発光構造物（例えば、第２導電型半導体層）の一面を示す。
【００５０】
図６に図示された通り、各溝領域Ｈは、幅ｂより大きい長さａを有する光ガイド部Ｇが提供されるように形成され、並んで配列された複数の溝領域Ｈは３つの列で形成される。これによって２次元的なフォトニック結晶構造が具現されることができる。
【００５１】
また、上記３個の列で配列された溝領域Ｈは、相互離隔するように配置されるため、上記複数の光ガイド部Ｇが上記第２導電型半導体層６８により相互連結された配列を有する。このように、残留領域である複数の光ガイド部Ｇが相互連結されて配置されるため、一領域Ｅに電極を提供することにより全体活性領域を駆動させることができるという長所を提供する。このようなことは、図４で説明した水平構造の発光素子において２次元フォトニック結晶構造を具現するに非常に役立つ。
【００５２】
本発明の他の側面は、偏光性改善による光効率の低下問題を解決するため光指向性の改善方案を同時に提供する。特に、半導体発光素子自体は、一般的に全方向に光が抽出されるため、所望の方向に対する光の効率は非常に低いものと知られている。また、本発明のように、発光素子構造自体に偏光性を与える場合に、特定偏光性分に対する損失問題で光効率が低下することができ、偏光性の面でも他方向に放出される光が多くなると偏光自体の効率が低下することができる。
【００５３】
従って、本発明は図７及び図８に図示された通り、指向性を向上させた共振構造をフォトニック結晶構造と結合させることによって、出射光の方向を上面に限定させると同時に、フォトニック結晶による偏光効果を極大化させる方案を提供する。
【００５４】
図７は、本発明の好ましい実施形態による指向性が強化された半導体発光素子の断面図である。
【００５５】
図７に図示された通り、本実施形態による半導体発光素子７０は、基板７１上に順次に形成された第１導電型半導体層７４、活性層７６及び第２導電型半導体層７８を含み、上記第１及び第２導電型半導体層７４，７８に各々接続された第１及び第２電極７９ａ，７９ｂを備える。
【００５６】
図７では図示されていないが、図４に図示されたＬＥＤと類似に、複数の溝領域により上記半導体発光構造物は幅より大きい長さを有する複数の光ガイド部が形成されたものと理解できる。
【００５７】
本実施形態による半導体発光素子７０は、上記活性層７６を介して上記活性層７６から発生する光の半波長の整数倍に該当する間隔で形成された第１及び第２反射層７５，７７を含む。光放出方向に位置した第２反射層７７は、上記第１反射層７５より上記活性層７６から発生する光の波長に対して低い反射率を有するため、第１及び第２反射層７５，７７の間の領域は、活性層７６から発生した光に対する共振機構造Ｒとして定義される。好ましくは、上記第１反射層７５は、上記活性層７６から発生する光の波長に対して８０％以上の反射率を有し、上記第２反射層７７は上記活性層７６から発生する光の波長に対して２０〜６０％の反射率を有することができる。
【００５８】
本実施形態のように、上記第２反射層７７は、上記第２導電型半導体層７８の上面に位置する場合には結晶成長工程に係わらず、金属または金属酸化物のような適切な反射材料を使用することができるが、上記第１反射層７５のように上記第１導電型半導体層７４の内部に位置する場合に、一部の第１導電型半導体層７４ａを形成した後に、他の一部の第１導電型半導体層７４ｂを形成する前に提供されることができるため、適した結晶性を有することが求められる。
【００５９】
従って、この場合に、上記第１反射層７５は、相異する屈折率を有する２種の半導体結晶膜７５ａ，７５ｂを複数回に交互に形成したＤＢＲ構造を採用することが好ましい。例えば、窒化物発光素子の場合には、ＡｌＧａＩｎＮ窒化物半導体でＡｌ成分を調整することにより所望のＤＢＲ構造を得ることができる。
【００６０】
図８は、本発明の他の実施形態による垂直構造半導体発光素子の斜視図である。
【００６１】
図８に図示された通り、本実施形態による半導体発光素子８０は、導電性基板８１上に順次に形成された第１導電型半導体層８４、活性層８６及び第２導電型半導体層８８を含む。第１及び第２電極８９ａ，８９ｂは、上記第１導電型半導体層８４の上面の一領域と上記導電性基板８１の下面に各々形成され、上記第１及び第２導電型半導体層８４，８８に各々電気的に接続されることができる。
【００６２】
このような垂直構造発光素子８０は、先に説明した通り、複数の溝領域Ｈは、各々上記半導体構造物の一側面から対向する他側面まで開放されるように延長され形成されることができ、複数の光ガイド部Ｇを形成する。
【００６３】
また、本実施形態による半導体発光素子８０は、上記活性層８６を介して上記活性層８６から発生する光の半波長の整数倍に該当する間隔で形成された第１及び第２反射層８２，８５を含む。ここで、上記第２反射層８５は、上記第１反射層８２より低い反射率を有するため、光出射側に提供されることができる。
【００６４】
上記第１及び第２反射層８２，８５の間の領域は、活性層８６から発生した光に対する共振機構造Ｒとして定義される。好ましく、上記第１反射層８２は、上記活性層８６から発生する光の波長に対して８０％以上の反射率を有し、上記第２反射層８５は上記活性層８６から発生する光の波長に対して２０〜６０％の反射率を有することができる。
【００６５】
本実施形態のように、上記第１反射層８２は上記第２導電型半導体層８８と導電性基板８１との間に配置されることができ、反射金属層として提供される。第１反射層と半波長の整数倍の距離を有するために、上記第２反射層８５は上記第１導電型半導体層８４の内部に位置することができる。この場合に、相異する屈折率を有する２種の半導体結晶膜８５ａ，８５ｂを複数回に交互に形成したＤＢＲ構造を採用することが好ましい。
【００６６】
このように、第１及び第２反射構造を通じて共振構造を採用した発光素子では、フォトニック結晶構造が形成された方向、即ち光ガイド部の配列方向に共振構造内に拘束された光が存在することができるが、このようにな問題は光ガイド部の長軸と短軸の長さを調節した２次元フォトニック結晶を形成して上位モードの光発生を抑制することにより解決することができる。
【００６７】
このように、本発明は上述の実施形態及び添付の図面によって限られず、添付の請求範囲により限定するものである。請求範囲に記載された本発明の技術的思想を外れない範囲内で様々な形態の置換、変形及び変更を行うことができるということは、当技術分野において通常の知識を有している者には自明である。
【図面の簡単な説明】
【００６８】
【図１】従来のバックライト構造を示した分解断面図である。
【図２】従来の半導体発光素子を示した断面図である。
【図３】本発明による光ガイド構造を説明するための半導体発光素子構造の斜視図である。
【図４】本発明の一実施形態による半導体発光素子の斜視図である。
【図５】本発明の他の実施形態による半導体発光素子の斜視図である。
【図６】本発明の半導体発光素子に採用可能な２次元周期のフォトニック結晶構造を示した平面図である。
【図７】本発明の好ましい実施形態による指向性が強化された半導体発光素子の断面図である。
【図８】本発明の他の実施形態による垂直構造半導体発光素子の斜視図である。
【符号の説明】
【００６９】
３１、４１  基板
３４、４４  第１導電型半導体層
３６、４６  活性層
３８、４８  第２導電型半導体層
Ｇ  光ガイド部
Ｈ  溝構造
【図１】
2008016836.tif 000004
【図２】
2008016836.tif 000005
【図３】
2008016836.tif 000006
【図４】
2008016836.tif 000007
【図５】
2008016836.tif 000008
【図６】
2008016836.tif 000009
【図７】
2008016836.tif 000010
【図８】
2008016836.tif 000011